【手続補正書】
【提出日】令和1年11月1日(2019.11.1)
【手続補正１】
【補正対象書類名】明細書
【補正対象項目名】００１７
【補正方法】変更
【補正の内容】
【００１７】
おむつ１０では、図１及び図２に示すように、外装体３０の内層シート３１と外装体３０の外層シート３２との間に弾性部材３３が固定されている。好適に、弾性部材３３は、おむつ１０では、内層シート３１及び外層シート３２との間に配されており、ウエスト開口部ＷＯの周縁部にウエストギャザーを形成するウエスト部弾性部材３３Ｗ、レッグ開口部ＬＯの周縁部にレッグギャザーを形成するレッグ部弾性部材３３Ｌ、及び胴回り部（ウエスト開口部ＷＯの周縁端から下方に２０ｍｍ離間した位置からレッグ開口部ＬＯの上端までの領域）に胴回りギャザーを形成する胴回り弾性部材３３Ｄを有している。ウエスト部弾性部材３３Ｗ、レッグ部弾性部材３３Ｌ及び胴回り弾性部材３３Ｄは、それぞれ伸張状態で、ホットメルト型接着剤等の接合手段により接合固定されている。
【手続補正２】
【補正対象書類名】明細書
【補正対象項目名】００４７
【補正方法】変更
【補正の内容】
【００４７】
縦接合部４１，４１、横接合部４２，４２及び中間横接合部４３，４３にて、吸収性コア２４と接合されているコアラップシート２５は、おむつ１０では、図７及び図８に示すように、おむつ１０を構成する他の構成部材に接合されている。おむつ１０では、おむつ１０を構成する他の構成部材は外装体３０であり、コアラップシート２５は、後述する接合部２８を介して外装体３０に接合されている。一対の縦接合部４１，４１、一対の横接合部４２，４２及び中間横接合部４３，４３にて吸収性コア２４と接合されたコアラップシート２５を外装体３０に接合することで、おむつ１０の着用時における着用者の脚の開閉動作等により吸収コア２４が幅方向内側に圧縮されても、外装体３０と連動して物品横方向Ｙの外側に回復することができる。
【手続補正３】
【補正対象書類名】明細書
【補正対象項目名】００５６
【補正方法】変更
【補正の内容】
【００５６】
各長尺状基体部２の両面（肌対向面及び非肌対向面）の表面に吸水性ポリマーの粒子３を固定する際には、上記効果を一層奏する観点から、長尺状基体部２の他方の面（例えば、非肌対向面）の表面に固定された吸水性ポリマー３の坪量の方が、該長尺状基体部２の一方の面（例えば、肌対向面）の表面に固定された吸水性ポリマー３の坪量よりも大きいことが好ましい。長尺状基体部２の一方の面（例えば、肌対向面）の表面に固定させる吸水性ポリマー３の坪量は、１０ｇ／ｍ2以上２５０ｇ／ｍ2以下であることが好ましく、３０ｇ／ｍ2以上１５０ｇ／ｍ2以下であることが更に好ましい。長尺状基体部２の他方の面（例えば、非肌対向面）の表面に固定させる吸水性ポリマー３の坪量は、３０ｇ／ｍ2以上４００ｇ／ｍ2以下であることが好ましく、５０ｇ／ｍ2以上３００ｇ／ｍ2以下であることが更に好ましい。
【手続補正４】
【補正対象書類名】明細書
【補正対象項目名】００６３
【補正方法】変更
【補正の内容】
【００６３】
シート状物１は、おむつ１０では、図６に示すような膨潤後の状態において、吸水性ポリマーの粒子３が、長尺状基体部２の縦方向（ｘ１方向）に沿う側縁部２ｓを越えて膨潤するようになされていることが好ましい。ここで、吸水性ポリマーの粒子３が長尺状基体部２の側縁部２ｓを越えて膨潤するとは、言い換えれば、シート状物１の膨潤後の状態において、例えば図６に示す膨潤した吸水性ポリマーの粒子３ａのように、膨潤した吸水性ポリマーの粒子３が長尺状基体部２の側縁部２ｓに跨って存在することを意味する。尚、シート状物１の膨潤後の状態において、膨潤した吸水性ポリマーの粒子３が長尺状基体部２の側縁部２ｓに跨って存在するようになるのであれば、シート状物１の使用前の状態においては、吸水性ポリマーの粒子３が長尺状基体部２の側縁部２ｓよりも内側に存在していてもよく、或いは、例えば図５に示す使用前（膨潤前）の吸水性ポリマーの粒子３ｂのように、吸水性ポリマーの粒子３が当初から長尺状基体部２の側縁部２ｓに跨って存在していてもよい。
【手続補正５】
【補正対象書類名】明細書
【補正対象項目名】００６９
【補正方法】変更
【補正の内容】
【００６９】
また、おむつ１０では、図７に示すように、防漏カフ２６を形成する二つ折りされた状態のシート材料２７の内部に、糸状の弾性部材２９ａ以外に、更に、糸状の弾性部材２９ｂが伸長状態で固定されている。弾性部材２９ｂは、防漏カフ２６における糸状の弾性部材２９ａと接合部２８との間に配置され、防漏カフ２６の物品縦方向Ｘの一部に配されている。また、糸状の弾性部材２９ｂは、おむつ１０の展開状態において、後述する吸収体２３の側部に配置される糸状の弾性部材２９ｃより物品横方向Ｙ外方の位置に配置されている。
【手続補正６】
【補正対象書類名】明細書
【補正対象項目名】００７６
【補正方法】変更
【補正の内容】
【００７６】
上述した本発明の本実施形態のおむつ１０を使用した際の作用効果について説明する。
おむつ１０では、図１及び図２に示すように、吸収性コア２４は、吸水性ポリマー３を備えた吸収性ユニット４を横方向（ｙ１方向）に複数本配列させたユニット部４０を、縦方向（ｘ１方向）に複数配したシート状物１から形成されている。また、吸収性コア２４であるシート状物１の各ユニット部４０において、各吸収性ユニット４は、その縦方向（ｘ１方向）がおむつ１０の物品縦方向Ｘを向くように配列されている。その為、おむつ１０では、吸収性コア２４の柔軟性を高めると共に、該吸収性コア２４を薄型化することができる。また、吸収性コア２４を形成するシート状物１は、図３及び図４に示すように、縦方向（ｘ１方向）に沿う両側部に配される一対の縦接合部４１，４１と、縦方向（ｘ１方向）の両端部に配される一対の横接合部４２，４２と、該一対の横接合部４２，４２の間に配される中間横接合部４３，４３とを有しており、これらの位置でホットメルト接着剤ＨＭによりコアラップシート２５に接合されている。その為、例えば、図９に示すように、おむつ１０の着用時に着用者の両脚から物品横方向Ｙの内方に外力が作用して吸収性ユニット４が物品横方向Ｙ（横方向（ｙ１方向））の中央に寄った場合においても、該中央に寄った吸収性ユニット４が物品横方向Ｙ（横方向（ｙ１方向））の外方に戻り易くなる。これにより、吸収性ユニット４が物品横方向Ｙ（横方向（ｙ１方向））の中央に寄った場合に生じ得る中央の膨らみから生じる違和感や物品縦方向Ｘ（縦方向（ｘ１方向））に沿う両側部からの横漏れを抑制することができる。このように、本発明の本実施形態のおむつ１０によれば、柔軟性に優れ、フィット性及び防漏性を向上させることができる。
【手続補正７】
【補正対象書類名】明細書
【補正対象項目名】０１０８
【補正方法】変更
【補正の内容】
【０１０８】
本発明の一実施形態である使い捨ておむつ１０は、製造装置１００を用いて製造されたシート状物１を吸収性コア２４に用いる以外は、いわゆる横流れ方式のパンツ型使い捨ておむつの公知の製造方法と同様にして製造することができる。例えば、シート状物１を、その長さ方向を流れ方向（縦流れ）に連続的に搬送しながら、帯状のコアラップシート２５で全体を被覆して、シート状物１が流れ方向に間欠的に配された吸収体２３の連続体を形成する。このように形成された吸収体２３では、シート状物１は、一対の縦接合部４１，４１、一対の横接合部４２，４２及び中間横接合部４３にて、コアラップシート２５と接合される。その後、連続する糸状の弾性部材２９ａ，２９ｂ，２９ｃが内部に配されている折り返されたシート材料２７を、帯状の表面シート２１の両側部に固定して形成されたトップシート部材で、吸収体２３の連続体の上面を被覆すると共に、帯状の裏面シート２２で吸収体２３の連続体の下面を被覆する。その後、該トップシート部材の流れ方向（縦流れ）に沿う両側部を、吸収体２３の連続体の下面側に巻き下げ、これらの構成部材を固定し、流れ方向（縦流れ）に隣り合うシート状物１の間毎に分断して、吸収性本体２０を流れ方向（縦流れ）に連続的に製造する。その後は、各吸収性本体２０を９０度回転させ、別工程で製造された帯状の外装体３０の内層シート３１上に、ホットメルト接着剤等の接着剤を介して固定し、おむつ１０の連続体を形成する。次いで、吸収性本体２０が配置された外装体３０の連続体におけるレッグ部弾性部材３３Ｌで環状に囲まれた環状部の内側にレッグホールを形成する。次いで、外装体３０の連続体の流れ方向の両側部が重なるように重ね合わせ、外装体３０の連続体と吸収性本体２０とを２つ折りする。その後は、サイドシール部Ｓを間欠的に形成し、その後、サイドシール部Ｓにて切断して、おむつ１０を連続的に製造する。
【手続補正８】
【補正対象書類名】図面
【補正対象項目名】図５
【補正方法】変更
【補正の内容】
【図５】
2018102809.tif 000001
【手続補正９】
【補正対象書類名】図面
【補正対象項目名】図６
【補正方法】変更
【補正の内容】
【図６】
2018102809.tif 000002